(57)【要約】【課題】充電時間の応答性を満足し、静電容量のばらつきがある場合にも、充電時間の応答性のばらつきを低減可能にし、振動板の吸引速度が安定して上がるようにした液滴吐出ヘッドの駆動方法を提供する。【解決手段】振動板８と個別電極１７との間に、振動板８を変位するのに十分な駆動電圧Ｖ１を印加する工程と、振動板８が対応する個別電極１７に接触する前に、駆動電圧Ｖ１を駆動電圧Ｖ２にまで低下させる工程と、振動板８が対応する個別電極１７に接触する前に、駆動電圧Ｖ２の印加を所定時間継続させる工程と、振動板８が対応する個別電極に当接した後も、駆動電圧Ｖ２の印加を所定時間継続させる工程と、駆動電圧Ｖ２の印加を停止させ、振動板８の当接を解除し、圧力室７に液体圧力変動を発生させ、圧力室７内の液体を吐出させることを特徴とする。【選択図】図５
2009006537.tif 000002
【特許請求の範囲】
【請求項１】
ギャップを隔てて対向配置されている個別電極と振動板との間に、駆動電圧を印加し、
これらの電極間に発生する静電気力によって前記振動板を駆動させる静電アクチュエータ
の駆動方法であって、
前記振動板と前記個別電極との間に、前記振動板を前記個別電極に当接させるのに必要
な駆動電圧Ｖ２よりも大きく、前記振動板を変位させるのに十分な駆動電圧Ｖ１を印加す
る工程と、
前記振動板が対応する前記個別電極に接触する前に、前記駆動電圧Ｖ１を前記駆動電圧
Ｖ２にまで低下させる工程と、
前記振動板が対応する前記個別電極に接触する前に、前記駆動電圧Ｖ２の印加を所定時
間継続させる工程とを有する
ことを特徴とする静電アクチュエータの駆動方法。
【請求項２】
所定時間経過後、
前記駆動電圧Ｖ２を、前記振動板が対応する前記個別電極に当接保持可能な駆動電圧Ｖ
３にまで低下させる工程を有する
ことを特徴とする請求項１に記載の静電アクチュエータの駆動方法。
【請求項３】
ギャップを隔てて対向配置されている個別電極と振動板とからなる静電アクチュエータ
に駆動電圧を印加し、これらの電極間に静電気力を発生させ、前記振動板を前記個別電極
に当接させ、その後、前記振動板を前記個別電極から離脱させて前記振動板を振動させ、
これにより発生する液体圧力変動を利用して、圧力室内の液体を吐出させる液滴吐出ヘッ
ドの駆動方法であって、
前記振動板と前記個別電極との間に、前記振動板を前記個別電極に当接させるのに必要
な駆動電圧Ｖ２よりも大きく、前記振動板を変位するのに十分な駆動電圧Ｖ１を印加する
工程と、
前記振動板が対応する前記個別電極に接触する前に、前記駆動電圧Ｖ１を前記駆動電圧
Ｖ２にまで低下させる工程と、
前記振動板が対応する前記個別電極に接触する前に、前記駆動電圧Ｖ２の印加を所定時
間継続させる工程と、
前記振動板が対応する前記個別電極に当接した後も、前記駆動電圧Ｖ２の印加を所定時
間継続させる工程とを有し、
前記駆動電圧Ｖ２の印加を停止させ、前記振動板の当接を解除し、前記圧力室に液体圧
力変動を発生させて、前記圧力室内の液体を吐出させる
ことを特徴とする液滴吐出ヘッドの駆動方法。
【請求項４】
前記駆動電圧Ｖ２を所定時間印加させた後、
前記駆動電圧Ｖ２を、前記振動板が対応する前記個別電極に当接保持可能な駆動電圧Ｖ
３にまで低下させる工程を有し、
前記駆動電圧Ｖ３の印加を停止させ、前記振動板の当接を解除し、前記圧力室に液体圧
力変動を発生させて、前記圧力室内の液体を吐出させる
ことを特徴とする請求項３に記載の液滴吐出ヘッドの駆動方法。
【請求項５】
前記請求項３又は４に記載の液滴吐出ヘッドの駆動方法を適用した
ことを特徴とする液滴吐出装置の駆動方法。
【発明の詳細な説明】
【技術分野】
【０００１】
本発明は、静電駆動方式の静電アクチュエータの駆動方法、液滴吐出ヘッドの駆動方法
及び液滴吐出装置の駆動方法に関し、特に容量ばらつきがあっても動作遅れを生じさせな
いようにした静電アクチュエータの駆動方法、液滴吐出ヘッドの駆動方法及び液滴吐出装
置の駆動方法に関するものである。
【背景技術】
【０００２】
近年、シリコン等を加工して微小な素子等を形成する微細加工技術（ＭＥＭＳ：Ｍｉｃ
ｒｏ  Ｅｌｅｃｔｒｏ  Ｍｅｃｈａｎｉｃａｌ  Ｓｙｓｔｅｍｓ）が急激に進歩している
。この微細加工技術により形成される微細加工素子には、たとえば、液滴吐出方式のプリ
ンタのような記録（印刷）装置で用いられている液滴吐出ヘッド（インクジェットヘッド
）やマイクロポンプ、光可変フィルタ、モータのようなアクチュエータ、圧力センサ等が
ある。
【０００３】
このうち、インクジェットヘッドは、一般にインク滴を吐出するための複数のノズル孔
が形成されたノズル基板と、このノズル基板に接合されノズル孔に連通する圧力室や、リ
ザーバ等のインク流路が形成されたキャビティ基板とを備え、圧力室に圧力を加えること
によりインク滴を選択されたノズル孔より吐出するように構成されている。このようにイ
ンク滴を吐出させる方式としては、静電気力を利用する静電駆動方式や、圧電素子による
圧電（ＰＺＴ）方式、発熱素子を利用するバブルジェット（登録商標）方式等がある。
【０００４】
静電駆動方式のインクジェットヘッドにおいては、圧力室の底部を振動板としたキャビ
ティ基板と、この振動板に所定のギャップ（空隙）を介して対向する個別電極（対向電極
）を形成した電極基板とを接合させた構成となっている。インク滴を吐出する際には、個
別電極に駆動電圧を印加してプラスに帯電させ、対応する振動板に駆動電圧を印加してマ
イナスに帯電させる。そうすると、この時に生じる静電引力により振動板が個別電極側に
弾性変形する。そして、この駆動電圧をオフにすると、振動板が復元する。このとき、圧
力室の内部の圧力が急激に上昇し、圧力室内のインクの一部をインク滴としてノズル孔か
ら吐出させることになる。
【０００５】
つまり、このような静電駆動方式のインクジェットヘッドは、外部から供給される電圧
が、振動板及び個別電極に充電されることにより、振動板を吸引する静電力が作用し、振
動板を変位させることが可能となっているのである。このような静電駆動方式のインクジ
ェットヘッドにおいて、振動板を応答性よく駆動させるためには、振動板及び個別電極へ
の充電時間を短くすることが要求される。特に、充電時間が長くなった場合は、応答性が
低下するだけでなく、圧力室に発生する圧力も低下してしまい、所望のインク吐出が得ら
れず、良好な印刷ができないことになってしまう。
【０００６】
この充電時間は、振動板及び個別電極で構成される静電アクチュエータの静電容量、及
び抵抗（主には配線抵抗）によって変化する。特に、静電容量は、振動板と個別電極との
ギャップ量ばらつきや、配線の引き回し面積のばらつき、ギャップの気密を確保する封止
材の塗布面積ばらつき等によって、ばらついてしまう。また、静電力を大きくするために
振動板と個別電極との間に設けた絶縁膜を誘電率の高い材料で形成することがある。この
ように、絶縁膜を誘電率の高い材料で形成すると、静電容量が大きくなるものの、応答性
が遅くなるという傾向がある。そうすると、静電容量のばらつきに更に上乗せとなってし
まうことになりやすい。
【０００７】
静電アクチュエータを有するインクジェットヘッドの駆動方法として、「前記振動板と
対向電極の間に電圧を印加し、実効的な前記ギャップの１／３まで前記振動板を変位させ
た後、前記振動板が対応する対向電極に接触せず、かつ前記振動板の変位が大きくなるよ
うに印加していた電圧を低下するインクジェットヘッド記録装置」が提案されている（た
とえば、特許文献１参照）。この駆動方法は、振動板と対向電極との間に印加する電圧の
低電圧化を図るようにしたものである。
【０００８】
【特許文献１】特開２０００−１５３６１１号公報（請求項３）
【発明の開示】
【発明が解決しようとする課題】
【０００９】
特許文献１に記載の駆動方法では、ギャップの１／３まで変位させた以降の振動板の変
位量は、インクの慣性力によって変位量がギャップの１／３より大きくなるため、十分な
振動板の吸引速度を得ることができず、インク吐出速度が遅くなりやすいといった問題が
あった。つまり、このような駆動方法では、充電時間の応答性を改善することができず、
静電容量のばらつきによって振動板の動作遅れが生じてしまい、その結果として所望のイ
ンク吐出を得ることができないという問題があったのである。
【００１０】
本発明は、上記のような問題を解決するためになされたもので、充電時間の応答性を満
足し、静電容量のばらつきがある場合にも、充電時間の応答性のばらつきを低減可能にし
、振動板の吸引速度が安定して上がるようにした静電アクチュエータの駆動方法、液滴吐
出ヘッドの駆動方法及び液滴吐出装置の駆動方法を提供することを目的とするものである
。
【課題を解決するための手段】
【００１１】
本発明に係る静電アクチュエータの駆動方法は、ギャップを隔てて対向配置されている
個別電極と振動板との間に、駆動電圧を印加し、これらの電極間に発生する静電気力によ
って振動板を駆動させる静電アクチュエータの駆動方法であって、振動板と個別電極との
間に、振動板を個別電極に当接させるのに必要な駆動電圧Ｖ２よりも大きく、振動板を変
位させるのに十分な駆動電圧Ｖ１を印加する工程と、振動板が対応する個別電極に接触す
る前に、駆動電圧Ｖ１を駆動電圧Ｖ２にまで低下させる工程と、振動板が対応する個別電
極に接触する前に、駆動電圧Ｖ２の印加を所定時間継続させる工程とを有することを特徴
とする。
【００１２】
したがって、静電容量がばらついたとしても、静電アクチュエータを構成する振動板及
び個別電極（対向電極）に所望の電圧が充電されるまでの時間のばらつきを低減すること
が可能である。このため、ギャップ量ばらつきや、配線の引き回し面積のばらつき、ギャ
ップの気密を確保する封止材の塗布面積ばらつきがあっても、充電時間の応答性を所定の
範囲で満足しながら、充電時間の応答性のばらつきを低減することができる。よって、振
動板を安定して吸引することのできる静電アクチュエータを提供することが可能となる。
また、振動板と個別電極との間に設けた絶縁膜に誘電率の高い材料を用いても、充電時間
の応答性を確保することができる。
【００１３】
本発明に係る静電アクチュエータの駆動方法は、所定時間経過後、駆動電圧Ｖ２を、振
動板が対応する個別電極に当接保持可能な駆動電圧Ｖ３にまで低下させる工程を有するこ
とを特徴とする。したがって、振動板が当接した時の電圧を低くすることができ、振動板
と個別電極との間に設けた絶縁膜に印加される電界を小さくすることが可能である。つま
り、絶縁膜の耐久性を大幅に向上させることでき、絶縁膜の絶縁破壊を高効率で防止する
ことができるのである。また、電圧解除の際の電圧変化（傾き）を小さくすることが可能
となるため、ピーク電流を低減することができる。このため、外部回路での経時的な破壊
モードを発生させないようにすることができる。
【００１４】
本発明に係る液滴吐出ヘッドの駆動方法は、ギャップを隔てて対向配置されている個別
電極と振動板とからなる静電アクチュエータに駆動電圧を印加し、これらの電極間に静電
気力を発生させ、振動板を個別電極に当接させ、その後、振動板を個別電極から離脱させ
て振動板を振動させ、これにより発生する液体圧力変動を利用して、圧力室内の液体を吐
出させる液滴吐出ヘッドの駆動方法であって、振動板と個別電極との間に、振動板を個別
電極に当接させるのに必要な駆動電圧Ｖ２よりも大きく、振動板を変位するのに十分な駆
動電圧Ｖ１を印加する工程と、振動板が対応する個別電極に接触する前に、駆動電圧Ｖ１
を駆動電圧Ｖ２にまで低下させる工程と、振動板が対応する個別電極に接触する前に、駆
動電圧Ｖ２の印加を所定時間継続させる工程と、振動板が対応する個別電極に当接した後
も、駆動電圧Ｖ２の印加を所定時間継続させる工程とを有し、駆動電圧Ｖ２の印加を停止
させ、振動板の当接を解除し、圧力室に液体圧力変動を発生させて、圧力室内の液体を吐
出させることを特徴とする。
【００１５】
したがって、静電容量がばらついたとしても、静電アクチュエータを構成する振動板及
び個別電極（対向電極）に所望の電圧が充電されるまでの時間のばらつきを低減すること
が可能である。このため、ギャップ量ばらつきや、配線の引き回し面積のばらつき、ギャ
ップの気密を確保する封止材の塗布面積ばらつきがあっても、充電時間の応答性を所定の
範囲で満足しながら、充電時間の応答性のばらつきを低減することができる。よって、振
動板を安定して吸引することのできる静電アクチュエータを提供することが可能となる。
また、振動板が安定して吸引可能なので、インク滴の吐出特性を安定させた液滴吐出ヘッ
ドを提供できる。さらに、振動板と個別電極との間に設けた絶縁膜に誘電率の高い材料を
用いても、充電時間の応答性を確保することができる。
【００１６】
本発明に係る液滴吐出ヘッドの駆動方法は、駆動電圧Ｖ２を所定時間印加させた後、駆
動電圧Ｖ２を、振動板が対応する個別電極に当接保持可能な駆動電圧Ｖ３にまで低下させ
る工程を有し、駆動電圧Ｖ３の印加を停止させ、振動板の当接を解除し、圧力室に液体圧
力変動を発生させて、圧力室内の液体を吐出させることを特徴とする。
【００１７】
したがって、振動板が当接した時の電圧を低くすることができ、振動板と個別電極との
間に設けた絶縁膜に印加される電界を小さくすることが可能である。つまり、絶縁膜の耐
久性を大幅に向上させることでき、絶縁膜の絶縁破壊を高効率で防止することができるの
である。また、電圧解除の際の電圧変化（傾き）を小さくすることが可能となるため、ピ
ーク電流を低減することができる。このため、外部回路での経時的な破壊モードを発生さ
せないようにすることができる。さらに、圧力室に発生した圧力振動に合わせて当接保持
した振動板を当接解除するため、インク滴の吐出特性が向上し、安定した吐出が可能とな
る。
【００１８】
本発明に係る液滴吐出装置の駆動方法は、上記の液滴吐出ヘッドの駆動方法を適用した
ことを特徴とする。したがって、上記の液滴吐出ヘッドの駆動方法の効果をすべて有して
いる。
【発明を実施するための最良の形態】
【００１９】
以下、図面に基づいて本発明の実施の形態について説明する。
実施の形態１．  
図１は、本発明の実施の形態１に係る液滴吐出ヘッド１００を分解した状態を示す分解
斜視図である。図２は、液滴吐出ヘッド１００が組み立てられた状態の縦断面図である。
図１及び図２に基づいて、液滴吐出ヘッド１００の構成及び動作について説明する。なお
、図１を含め、以下の図面では各構成部材の大きさの関係が実際のものとは異なる場合が
ある。この液滴吐出ヘッド１００は、静電気力により駆動される静電駆動方式の静電アク
チュエータの代表として、ノズル基板の表面側に設けられたノズル孔から液滴を吐出する
フェイスイジェクトタイプの液滴吐出ヘッドを表している。
【００２０】
図１及び図２に示すように、この液滴吐出ヘッド１００は、ノズル基板１、キャビティ
基板３及び電極ガラス基板４の３つの基板が順に積層されるように接合された３層構造を
特徴としている。このキャビティ基板３の一方の面（上面）にはノズル基板１が接合され
ており、他方の面（下面）には電極ガラス基板４が接合されている。すなわち、キャビテ
ィ基板３を電極ガラス基板４とノズル基板１とが上下から挟む構造となっている。
【００２１】
この実施の形態１に係る液滴吐出ヘッド１００では、電極ガラス基板４とキャビティ基
板３とを陽極接合により接合するものとし、キャビティ基板３とノズル基板１とをエポキ
シ樹脂等の接着剤を用いて接合するものとして説明する。また、液滴吐出ヘッド１００の
電極ガラス基板４に形成する個別電極１７は、ドライバＩＣ１５等の電力供給手段によっ
て駆動信号（パルス電圧）が供給されるようになっている。
【００２２】
［電極ガラス基板４］
電極ガラス基板４は、たとえば、厚さ１ｍｍのホウ珪酸ガラス等のガラスを主要な材料
として形成するとよい。ここでは、電極ガラス基板４がホウ珪酸ガラスで形成されている
場合を例に示すが、たとえば電極ガラス基板４を単結晶シリコンで形成してもよい。この
電極ガラス基板４の表面には、後述するキャビティ基板３の圧力室（吐出室）７の形状に
合わせた凹部（ガラス溝）３２が形成されている。この凹部３２は、たとえばエッチング
により深さ０．３μｍ程度で形成するとよい。
【００２３】
また、この凹部３２の内部（特に底部）には、対向電極となる個別電極１７が、一定の
間隔を有して後述のキャビティ基板３の各圧力室７（振動板８）と対向するように作製さ
れている。そして、この凹部３２は、その一部が個別電極１７を装着できるように、これ
らの形状に類似したやや大きめの形状にパターン形成されている。この個別電極１７は、
たとえばＩＴＯ（Ｉｎｄｉｕｍ  Ｔｉｎ  Ｏｘｉｄｅ：インジウム錫酸化物）を０．１μ
ｍの厚さでスパッタして作製するとよい。このようにＩＴＯで個別電極１７を作製すると
、透明なので放電したかどうかの確認が行いやすいという利点がある。
【００２４】
また、個別電極１７は、リード部３３及び端子部３４が一体となって作製されている。
そして、個別電極１７の一端（端子部３４）が電力供給手段であるドライバＩＣ１５（図
３参照）と接続されており、そのドライバＩＣ１５から個別電極１７に駆動信号が供給さ
れるようになっている。なお、特に区別する必要がない限り、個別電極１７は、リード部
３３と端子部３４とを含んだものとして説明するものとする。なお、ドライバＩＣ１５は
、液滴吐出ヘッド１００の内部に搭載してもよく、外部に設けられていてもよい。また、
液滴吐出ヘッド１００には、ドライバＩＣ１５に電力を供給するためのＦＰＣ（Ｆｌｅｘ
ｉｂｌｅ  Ｐｒｉｎｔｅｄ  Ｃｉｒｃｕｉｔ）を搭載してもよい。
【００２５】
電極ガラス基板４とキャビティ基板３とを陽極接合して積層体を形成すると、振動板８
と個別電極１７との間には、振動板８を撓ませる（変位させる）ことができる一定のギャ
ップ（空隙）１８が、電極ガラス基板４の凹部３２により形成されるようになっている。
このギャップ１８は、凹部３２の深さ、個別電極１７及び振動板８の厚さにより決まるこ
とになる。このギャップ１８は、液滴吐出ヘッド１００の吐出特性に大きく影響するため
、厳格な精度管理が要求される。つまり、ギャップ１８は、各振動板８に対向する位置に
細長く所定の深さを有するように形成されている。
【００２６】
また、このギャップ１８は、内部に湿気や埃等が侵入しないようエポキシ樹脂等の封止
材１４で気密に封止されている。この封止材１４に使用する材料を特に限定するものでは
なく、ギャップ１８を気密封止できる材料であればよい。たとえば、水分透過性の低い酸
化シリコン（ＳｉＯ2 ）や、酸化アルミニウム（Ａｌ2Ｏ3）、酸窒化シリコン（ＳｉＯＮ
）、窒化シリコン（ＳｉＮ）、ポリパラキシリレン等で封止材１４を形成するとよい。な
お、ギャップ１８は、電極ガラス基板４に凹部３２を形成する他に、キャビティ基板３と
なるシリコン基板に凹部を形成したり、スペーサを挟むことによって設けたりすることも
可能である。
【００２７】
この液滴吐出ヘッド１００は、複数の個別電極１７が長辺及び短辺を有する長方形状に
形成されており、この個別電極１７が、互いの長辺が平行になるように配置されている。
そして、図１では、個別電極１７の短辺方向に伸びる１つの電極列を示している。なお、
個別電極１７の短辺が長辺に対して斜めに形成されており、個別電極１７が細長い平行四
辺形状になっている場合には、長辺方向に直角方向に伸びる電極列を形成するようにすれ
ばよい。
【００２８】
なお、電極ガラス基板４には、図示省略の外部のインクタンクから供給される液体を取
り入れる流路となるインク供給孔２５が設けられている。このインク供給孔２５は、電極
ガラス基板４を貫通するように形成されている。また、個別電極１７をＩＴＯで作製した
場合を例に示したが、これに限定するものではなく、クロム等の金属等で作製してもよい
。さらに、ここで示した凹部３２の深さやギャップ１８の長辺方向の長さ、個別電極１７
の厚さは一例であり、ここで示す値に限定するものではない。
【００２９】
［キャビティ基板３］
キャビティ基板３は、たとえば厚さ約５０μｍ（マイクロメートル）の（１１０）面方
位のシリコン単結晶基板（以下、単にシリコン基板という）を主要な材料として構成され
ている。このシリコン基板にドライエッチングまたは異方性ウエットエッチングのいずれ
かあるいは双方を行い、底壁が可撓性を有する振動板８となる圧力室７が複数形成されて
いる。この圧力室７は、個別電極１７の電極列に対応して形成されており、インク等の液
滴が保持されて吐出圧が加えられるようになっている。また、圧力室７は、紙面手前側か
ら奥側にかけて平行に並んで形成されているものとする。
【００３０】
また、キャビティ基板３には、各圧力室７にインク等の液滴を供給するための共通イン
ク室であるリザーバ２３が形成されている。このリザーバ２３の底面には、リザーバ２３
の底面を貫通するインク供給孔２５が形成されている。さらに、キャビティ基板３とノズ
ル基板１とを接合すると、リザーバ２３から各圧力室７に液滴を移送するために、リザー
バ２３と各圧力室７とを連通させるオリフィス２４（図２参照）が、キャビティ基板３と
ノズル基板１との間に形成されるようになっている。
【００３１】
なお、キャビティ基板３の下面（電極ガラス基板４と対向する面）には、振動板８と個
別電極１７との間を電気的に絶縁するためのＴＥＯＳ膜（ここでは、Ｔｅｔｒａｅｔｈｙ
ｌ  ｏｒｔｈｏｓｉｌｉｃａｔｅ  Ｔｅｔｒａｅｔｈｏｘｙｓｉｌａｎｅ：テトラエトキ
シシラン（珪酸エチル）を用いてできるＳｉＯ2 膜をいう）である絶縁膜１９をプラズマ
ＣＶＤ（Ｃｈｅｍｉｃａｌ  Ｖａｐｏｒ  Ｄｅｐｏｓｉｔｉｏｎ：ＴＥＯＳ−ｐＣＶＤと
もいう）法を用いて、０．１μｍ程成膜している。これは、振動板８の駆動時における絶
縁破壊及びショートを防止するためと、インク等の液滴によるキャビティ基板３のエッチ
ングを防止するためのものである。
【００３２】
ここでは、絶縁膜１９がＴＥＯＳ膜である場合を例に説明するが、これに限定するもの
ではなく、絶縁性能が向上する物質であればよい。たとえば、Ａｌ2Ｏ3（酸化アルミニウ
ム（アルミナ））を用いてもよい。また、キャビティ基板３の上面にも、図示省略の液体
保護膜となるＳｉＯ2 膜（ＴＥＯＳ膜を含む）を、プラズマＣＶＤ法又はスパッタリング
法により成膜するとよい。このような液体保護膜を成膜することによって、インク滴で流
路が腐食されるのを防止できるからである。この液体保護膜の応力と絶縁膜１９の応力と
を相殺させ、振動板８の反りを小さくできるという効果もある。
【００３３】
なお、振動板８は、高濃度のボロンドープ層で形成するようにしてもよい。水酸化カリ
ウム水溶液等のアルカリ溶液による単結晶シリコンのエッチングにおけるエッチングレー
トは、ドーパントがボロンの場合、約５×１０19ａｔｏｍｓ／ｃｍ3 以上の高濃度の領域
において、非常に小さくなる。このため、振動板８の部分を高濃度のボロンドープ層とし
、アルカリ溶液による異方性エッチングによって圧力室７を形成する際に、ボロンドープ
層が露出してエッチングレートが極端に小さくなる、いわゆるエッチングストップ技術を
用いることにより、振動板８を所望の厚さに形成することができる。
【００３４】
また、キャビティ基板３にも、インク供給孔２５が設けられている（電極ガラス基板４
に設けられたインク供給孔２５と連通するようになっている）。さらに、キャビティ基板
３には、外部電極端子としての共通電極端子１６が形成されている。この共通電極端子１
６は、図示省略の外部の発振回路等から振動板８に個別電極１７と反対の極性の電荷が供
給される際の端子となるものである。
【００３５】
［ノズル基板１］  
ノズル基板１は、たとえば厚さ約１００μｍのシリコン基板を主要な材料として構成さ
れている。そして、キャビティ基板３の上面（電極ガラス基板４を接合する面の反対面）
と接合している。ノズル基板１の上面には、圧力室７と連通するノズル孔５が複数形成さ
れている。各ノズル孔５は、圧力室７から移送された液滴を外部に吐出するようになって
いる。なお、ノズル孔５を複数段（たとえば、２段）で形成すると、液滴を吐出する際の
直進性の向上が期待できる。
【００３６】
ここでは、ノズル基板１を上面とし、電極ガラス基板４を下面として説明しているが、
実際に用いられる場合には、ノズル基板１の方が電極ガラス基板４よりも下面となること
が多い。なお、実施の形態１では、キャビティ基板３にオリフィス２４を形成した場合を
例に示したが、ノズル基板１にオリフィス２４を形成するようにしてもよい。また、ノズ
ル基板１には、振動板８によりリザーバ２３側の液体に加わる圧力を緩衝するためのダイ
ヤフラム１３を設けるとよい。
【００３７】
なお、電極ガラス基板４、キャビティ基板３及びノズル基板１を接合するときに、シリ
コンからなる基板とホウ珪酸ガラスからなる基板とを接合する場合（電極ガラス基板４と
キャビティ基板３とを接合する場合）は陽極接合により、シリコンからなる基板同士を接
合する場合（キャビティ基板３とノズル基板１とを接合する場合）は直接接合によって接
合することができる。また、シリコンからなる基板同士は、接着剤を用いて接合すること
もできる。
【００３８】
ここで、液滴吐出ヘッド１００の動作について説明する。キャビティ基板３のリザーバ
２３には、インク供給孔２５を介して外部からインク等の液滴が供給されている。また、
キャビティ基板３の圧力室７には、オリフィス２４を介してリザーバ２３から液滴が供給
されている。そして、ドライバＩＣ１５等の電力供給手段によって選択された個別電極１
７には０Ｖ〜４０Ｖ程度のパルス電圧が印加され、その個別電極１７を正に帯電させる。
【００３９】
このとき、共通電極端子１６を介してキャビティ基板３には負の極性を有する電荷が供
給され、正に帯電された個別電極１７に対応する振動板８を相対的に負に帯電させる。そ
のため、選択された個別電極１７と振動板８との間では静電気力が発生することになる。
そうすると、振動板８は、静電気力によって個別電極１７側に引き寄せられて撓むことに
なる。これによって圧力室７の容積が増大する。つまり、振動板８は、個別電極１７に引
き寄せられて当接することになる。これによって圧力室７の容積が増大する。
【００４０】
その後、個別電極１７への電荷の供給を止めると、振動板８と個別電極１７との間の静
電気力がなくなり、振動板８はその弾性力により元の状態に復元する。このとき、圧力室
７の容積が急激に減少するため、圧力室７内部の圧力が急激に上昇する。これにより、圧
力室７内のインクの一部がインク滴１２としてノズル孔５より吐出されることになる。こ
のインク滴１２が、たとえば記録紙に着弾することによって印刷等が行われるようになっ
ている。その後、液滴がリザーバ２３からオリフィス２４を通じて圧力室７内に補給され
、初期状態に戻る。このように振動板８を駆動させることで、静電アクチュエータとして
機能させているのである。このような方法は、引き打ちと呼ばれるものであるが、バネ等
を用いて液滴を吐出する押し打ちと呼ばれる方法もある。
【００４１】
図３は、液滴吐出ヘッド１００が搭載された液滴吐出装置の制御系を示す概略ブロック
図である。図３に基づいて、液滴吐出ヘッド１００が搭載されたインクジェットヘッドプ
リンタ等の液滴吐出装置の制御系について説明する。ただし、液滴吐出ヘッド１００が搭
載された液滴吐出装置の制御系を、図３で示す制御系に限定するものではない。この液滴
吐出装置は、液滴吐出ヘッド１００を駆動制御するための駆動制御装置４１を備えている
。この駆動制御装置４１は、ＣＰＵ（中央処理装置）４２ａを中心に構成された制御部４
２を備えている。
【００４２】
ＣＰＵ４２ａには、パーソナルコンピュータや遠隔制御装置（リモコン）等の外部装置
４３から印刷情報が入力されるようになっている。この印刷情報は、バス５２を介して入
力されたり、赤外線信号等の無線信号で入力されたりするようになっている。また、ＣＰ
Ｕ４２ａには、内部バス５３を介してＲＯＭ４４ａ、ＲＡＭ４４ｂ及びキャラクタジェネ
レータ４４ｃが接続されている。制御部４２では、ＲＡＭ４４ｂ内の記憶領域を作業領域
として用いて、ＲＯＭ４４ａ内に格納されている制御プログラムを実行し、キャラクタジ
ェネレータ４４ｃから発生するキャラクタ情報に基づき、液滴吐出ヘッド１００を駆動す
るための制御信号を生成する。
【００４３】
制御信号は、理論ゲートアレイ４５及び駆動パルス発生回路４６を介して、印刷情報に
対応した駆動制御信号となって、コネクタ４７を経由して液滴吐出ヘッド１００に内蔵さ
れた電力供給手段であるドライバＩＣ１５に供給されるほか、ＣＯＭ発生回路４６ａに供
給される。また、ドライバＩＣ１５には、印字用の駆動パルス信号Ｖ３、制御信号ＬＰ、
極性反転制御信号ＲＥＶ等（図４参照）も供給されるようになっている。なお、ＣＯＭ発
生回路４６ａは、たとえば駆動パルスを発生するための図示省略の共通電極ＩＣで構成す
るとよい。
【００４４】
ＣＯＭ発生回路４６ａでは、供給された上記の各信号に基づき、液滴吐出ヘッド１００
の共通電極端子１６、すなわち各振動板８に印加すべき駆動信号（駆動電圧パルス）をそ
の図示省略の共通出力端子ＣＯＭから出力するようになっている。また、ドライバＩＣ１
５では、供給された上記の各信号及び電源回路７０から供給される駆動電圧Ｖｐに基づき
、各個別電極１７に印加すべき駆動信号（駆動電圧パルス）を、各個別電極１７に対応し
た個数の個別出力端子ＳＥＧから出力するようになっている。そして、共通出力端子ＣＯ
Ｍの出力と個別出力端子ＳＥＧの出力との電位差が、各振動板８とそれに対向する個別電
極１７との間に印加される。振動板８の駆動時（液滴の吐出時）には指定された向きの駆
動電位差波形を与え、非駆動時には駆動電位差を与えないようになっている。
【００４５】
図４は、ドライバＩＣ１５及びＣＯＭ発生回路４６ａの内部構成の一例を示す概略ブロ
ック図である。なお、図４に示すドライバＩＣ１５及びＣＯＭ発生回路４６ａは、１組で
６４個の個別電極１７及び振動板８に駆動信号を供給するものとする。また、ドライバＩ
Ｃ１５が、電源回路７０から高電圧系の駆動電圧Ｖｐ及び論理回路系の駆動電圧Ｖｃｃが
供給されて動作するＣＭＯＳの６４ビット出力の高耐圧ドライバである場合を例に示して
いる。
【００４６】
ドライバＩＣ１５は、供給された駆動制御信号に応じて、駆動電圧パルスとＧＮＤ電位
の一方を、個別電極１７に印加する。ドライバＩＣ１５は、６４ビットのシフトレジスタ
６１を有し、シフトレジスタ６１はシリアルデータとして理論ゲートアレイ４５より送信
された６４ビット長のＤＩ信号入力を、ＤＩ信号に同期する基本クロックパルスであるＸ
ＳＣＬパルス信号入力によりデータをシフトアップし、シフトレジスタ６１内のレジスタ
に格納するスタティクシフトレジスタとなっている。ＤＩ信号は、６４個の個別電極１７
のそれぞれを選択するための選択情報をオン／オフにより示す制御信号であり、この信号
がシリアルデータとして送信される。
【００４７】
また、ドライバＩＣ１５は、６４ビットのラッチ回路６２を有し、ラッチ回路６２はシ
フトレジスタ６１内に格納された６４ビットデータを制御信号（ラッチパルス）ＬＰによ
りラッチしてデータを格納し、格納されたデータを６４ビット反転回路６３に信号出力す
るスタティクラッチである。ラッチ回路６２では、シリアルデータのＤＩ信号が各振動板
８の駆動を行うための６４セグメント出力を行うための６４ビットのパラレル信号へと変
換される。
【００４８】
反転回路６３では、ラッチ回路６２から入力される信号と、ＲＥＶ信号との排他的論理
和をレベルシフタ６４へ出力する。レベルシフタ６４は、反転回路６３からの信号の電圧
レベルをロジック系の電圧レベル（５Ｖレベル又は３．３Ｖレベル）からヘッド駆動系の
電圧レベル（０〜４５Ｖレベル）に変換するレベルインターフェイス回路である。ＳＥＧ
ドライバ６５は、６４チャンネルのトランスミッションゲート出力となっていて、レベル
シフタ６４の入力によりＳＥＧ１〜ＳＥＧ６４のセグメント出力に対して、駆動電圧パル
ス入力か又はＧＮＤ入力のいずれかを出力する。ＣＯＭ発生回路４６ａに内蔵されたＣＯ
Ｍドライバ６６は、ＲＥＶ入力に対して駆動電圧パルスか又はＧＮＤ入力のいずれかをＣ
ＯＭへ出力する。
【００４９】
ＸＳＣＬ、ＤＩ、ＬＰ及びＲＥＶの各信号は、ロジック系の電圧レベルの信号であり、
理論ゲートアレイ４５よりドライバＩＣ１５に送信される信号である。このように、ドラ
イバＩＣ１５及びＣＯＭ発生回路４６ａを構成することにより、駆動するセグメント数（
振動板８の数）が増加した場合においても容易に液滴吐出ヘッド１００の振動板８の駆動
する駆動電圧パルスとＧＮＤとを切り替えることが可能となる。
【００５０】
図５は、液滴吐出ヘッド１００に印加する駆動電圧の電圧波形を説明するための説明図
である。図５（ａ）では、縦軸が電圧を、横軸が時間を示し、駆動電圧の駆動波形を表し
ている。また、図５（ｂ）では、縦軸が振動板８の変位量を、横軸が時間を示し、印加さ
れる駆動電圧に応じて変位する振動板８の変位量を表している。この図５に基づいて、駆
動パルス発生回路４６で生成され、個別電極１７及び共通電極端子１６に印加される駆動
電圧の電圧波形について説明する。
【００５１】
液滴吐出ヘッド１００が動作を開始すると、振動板８を変位するのに十分な駆動電圧Ｖ
１（振動板８を個別電極１７に当接させるのに必要な駆動電圧Ｖ２よりも大きな駆動電圧
、たとえば駆動電圧Ｖ２よりも１０％程度大きな駆動電圧）が印加される（ｔ０〜ｔ１）
。そうすると、その個別電極１７と振動板８との間に静電気力が発生し、振動板８が個別
電極１７側に撓む。それから、振動板８が個別電極１７に接触する前に、駆動電圧Ｖ１か
ら駆動電圧Ｖ２にまで電圧値を低下させる（ｔ１〜ｔ２）。そして、駆動電圧Ｖ２の印加
を続け、振動板８を個別電極１７に当接させた状態を保持する（ｔ２〜ｔ４）。
【００５２】
その後、駆動電圧の印加を停止し、圧力室７に発生した圧力振動に合わせて当接保持し
た振動板８の当接の解除を行う（ｔ４〜ｔ５）。そうすると、振動板８と個別電極１７と
の間の静電気力がなくなり、振動板８はその弾性力により元の状態に復元する。このとき
、圧力室７内のインクをノズル孔５からインク滴１２として吐出させることができる。す
なわち、液滴吐出ヘッド１００の動作開始直後に、駆動電圧Ｖ１を印加することによって
、振動板８及び個別電極１７の充電時間を短くすることを可能にしている。
【００５３】
図６は、静電容量のばらつきが基準の範囲内である場合における液滴吐出ヘッド１００
に印加する駆動電圧の電圧波形による効果を説明するための説明図である。図６（ａ）で
は、この実施の形態に係る液滴吐出ヘッド１００に対して外部から印加される駆動電圧の
駆動波形（破線（ア））と、静電アクチュエータに充電される電圧の時間暦（実線（イ）
）とを示している。また、図６（ｂ）では、従来の液滴吐出ヘッドに対して外部から印加
される駆動電圧の駆動波形（破線（ア’））と、静電アクチュエータに充電される電圧の
時間暦（実線（イ’））とを示している。図６（ｃ）は、図６（ａ）及び図６（ｂ）にお
ける静電アクチュエータに３０［Ｖ］の電圧が充電されるまでの時間を示している。なお
、図６（ａ），（ｂ）では、縦軸が電圧［Ｖ］を、横軸が時間［ｓｅｃ］をそれぞれ示し
ている。
【００５４】
図６に基づいて、静電容量のばらつきが小さい場合における液滴吐出ヘッド１００に印
加する駆動電圧の電圧波形による効果を従来の液滴吐出ヘッドと比較しながら説明する。
図６（ａ）及び図６（ｃ）に示すように、この実施の形態に係る液滴吐出ヘッド１００に
印加する駆動電圧の電圧波形によれば、静電アクチュエータに所望の電圧（たとえば、３
０［Ｖ］）を充電する時間が短くできることがわかる。液滴吐出ヘッド１００では、図６
（ａ）及び図６（ｃ）から静電アクチュエータに３０［Ｖ］の電圧を充電する時間が２．
４［μｓ（マイクロセック）］であることがわかる。一方、従来の液滴吐出ヘッドでは、
図６（ｂ）及び図６（ｃ）から静電アクチュエータに３０［Ｖ］の電圧を充電する時間が
３．１［μｓ］であることがわかる。
【００５５】
図７は、静電容量のばらつきが大きい場合における液滴吐出ヘッド１００に印加する駆
動電圧の電圧波形による効果を説明するための説明図である。図７（ａ）では、この実施
の形態に係る液滴吐出ヘッド１００に対して外部から印加される駆動電圧の駆動波形（破
線（ウ））と、静電アクチュエータに充電される電圧の時間暦（実線エ）とを示している
。また、図７（ｂ）では、従来の液滴吐出ヘッドに対して外部から印加される駆動電圧の
駆動波形（破線ウ’）と、静電アクチュエータに充電される電圧の時間暦（実線エ’）と
を示している。図７（ｃ）は、図７（ａ）及び図７（ｂ）における静電アクチュエータに
３０［Ｖ］の電圧が充電されるまでの時間を示している。なお、図７（ａ），（ｂ）では
、縦軸が電圧［Ｖ］を、横軸が時間［ｓｅｃ］をそれぞれ示している。
【００５６】
図７に基づいて、静電容量のばらつきが大きい場合における液滴吐出ヘッド１００に印
加する駆動電圧の電圧波形による効果を従来の液滴吐出ヘッドと比較しながら説明する。
図７（ａ）及び図７（ｃ）に示すように、この実施の形態に係る液滴吐出ヘッド１００に
印加する駆動電圧の電圧波形によれば、静電アクチュエータに所望の電圧（たとえば、３
０［Ｖ］）を充電する時間が短くできることがわかる。液滴吐出ヘッド１００では、図７
（ａ）及び図７（ｃ）から静電アクチュエータに３０［Ｖ］の電圧を充電する時間が３．
１［μｓ］であることがわかる。一方、従来の液滴吐出ヘッドでは、図７（ｂ）及び図７
（ｃ）から静電アクチュエータに３０［Ｖ］の電圧を充電する時間が４．６［μｓ］であ
ることがわかる。
【００５７】
図７（ｃ）に示す変化の割合は、静電容量のばらつきが小さいアクチュエータと静電容
量のばらつきが大きいアクチュエータに同一の駆動波形を印加した場合における、静電ア
クチュエータに３０［Ｖ］の電圧が充電されるまでの時間の変化の割合を示している。
図７（ｃ）に示すように、本発明の液滴吐出ヘッド１００では変化の割合が２８．０［
％］であるが、従来の液滴吐出ヘッドでは変化の割合が５０．５［％］である。つまり、
静電容量のばらつきが大きい場合、従来の液滴吐出ヘッドでは、充電時間の変化の割合が
５０．５［％］であるのに対し、本発明の液滴吐出ヘッド１００では、充電時間の変化の
割合が２８．０［％］と従来よりも変化の割合を小さくすることができる。
【００５８】
静電アクチュエータに所望の電圧を充電する時間は、振動板８が変動し始めた初期（図
５参照）に該当するため、充電時間が遅くなるようにばらつきが大きくなると、振動板８
の挙動もばらつくことになる。つまり、充電時間の変化の割合（充電時間の応答性のばら
つきの割合）が大きくなると、振動板８の挙動もばらつき、安定した吐出性能を発揮する
ことができない吐出ヘッドになってしまうのである。
【００５９】
したがって、静電容量のばらつきが大きい場合にも、液滴吐出ヘッド１００は、充電時
間の変化の割合を小さくすることが可能となり、振動板８を安定して吸引でき、インク滴
１２の吐出特性も安定させることが可能となる。
【００６０】
以上より、静電容量がばらついていても、静電アクチュエータの振動板８及び個別電極
１７に所望の電圧が充電されるまでの時間のばらつきを小さくすることが可能である。こ
のため、ギャップ１８のばらつきや、配線の引き回し面積のばらつき、ギャップ１８の気
密を確保する封止材１４の塗布面積のばらつきがあったとしても、充電時間の応答性を所
定の範囲で満足しながら充電時間の応答性のばらつきの低減化を図ることができる。よっ
て、振動板８を安定して吸引可能であり、インク滴１２の吐出特性も安定する。また、振
動板８と個別電極１７との間に設けた絶縁膜１９に誘電率の高い材料を用いても、充電時
間の応答性を確保することが可能となる。
【００６１】
図８は、液滴吐出ヘッド１００に印加する駆動電圧の電圧波形の別の例を説明するため
の説明図である。図８（ａ）では、縦軸が電圧を、横軸が時間を示し、駆動電圧の駆動波
形を表している。また、図８（ｂ）では、縦軸が振動板８の変位量を、横軸が時間を示し
、印加される駆動電圧に応じて変位する振動板８の変位量を表している。この図８に基づ
いて、駆動パルス発生回路４６で生成され、個別電極１７及び共通電極端子１６に印加さ
れる駆動電圧の電圧波形の別の例について説明する。
【００６２】
液滴吐出ヘッド１００が動作を開始すると、振動板８を変位するのに十分な駆動電圧Ｖ
１（振動板８を個別電極１７に当接させるのに必要な駆動電圧Ｖ２及び振動板８を個別電
極１７に当接保持させるのに必要な駆動電圧Ｖ３よりも大きな駆動電圧、たとえば駆動電
圧Ｖ２よりも１０％程度大きな駆動電圧）が印加される（ｔ０〜ｔ１）。そうすると、そ
の個別電極１７と振動板８との間に静電気力が発生し、振動板８が個別電極１７側に撓む
。それから、振動板８が個別電極１７に接触する前に、駆動電圧Ｖ１から駆動電圧Ｖ２に
まで電圧値を低下させる（ｔ１〜ｔ２）。そして、駆動電圧Ｖ２の印加を続け、振動板８
を個別電極１７に当接させる（ｔ２〜ｔ３）。
【００６３】
その後、印加していた駆動電圧Ｖ２を、振動板８が個別電極１７に当接保持できる駆動
電圧Ｖ３まで電圧値を低下させる（ｔ３〜ｔ４）。最後に、駆動電圧の印加を停止し、圧
力室７に発生した圧力振動に合わせて当接保持した振動板８の当接の解除を行う（ｔ４〜
ｔ５）。そうすると、振動板８と個別電極１７との間の静電気力がなくなり、振動板８は
その弾性力により元の状態に復元する。このとき、圧力室７内のインクをノズル孔５から
インク滴１２として吐出させることができる。すなわち、液滴吐出ヘッド１００の動作開
始直後に、駆動電圧Ｖ１を印加することによって、振動板８及び個別電極１７の充電時間
を短くすることを可能にするとともに、振動板８が個別電極１７に当接した時の電圧値を
低くすることが可能である。
【００６４】
したがって、図５で示した駆動波形の効果に加えて、振動板８が当接した時の電圧値を
低くすることが可能であるため、振動板８と個別電極１７との間に設けた絶縁膜１９に印
加される電界を小さくすることが可能である。つまり、絶縁膜１９の耐久性を大幅に向上
することができるのである。また、電圧解除の際の電圧変化（傾き）を小さくすることが
可能となるため、ピーク電流を低減させることが可能となり、外部回路での経時的な破壊
モードを発生させないようにすることができる。さらに、圧力室７に発生した圧力振動に
合わせて当接保持した振動板８の当接を解除するため、インク滴１２の吐出特性が向上し
、安定した吐出が可能となる。
【００６５】
実施の形態２．
図９は、上述した液滴吐出ヘッド１００を搭載した液滴吐出装置１５０の一例を示した
斜視図である。図９に示す液滴吐出装置１５０は、一般的なインクジェットプリンタであ
る。なお、この液滴吐出装置１５０は、周知の製造方法によって製造することができる。
上述した液滴吐出ヘッド１００は、静電アクチュエータに印加する駆動電圧の電圧波形（
図５または図８参照）に特徴を有するものである。
【００６６】
なお、液滴吐出ヘッド１００は、図８に示す液滴吐出装置１５０の他に、液滴を種々変
更することで、液晶ディスプレイのカラーフィルタの製造、有機ＥＬ表示装置の発光部分
の形成、生体液体の吐出等にも適用することができる。また、液滴吐出ヘッド１００は、
圧電駆動方式の液滴吐出装置や、バブルジェット（登録商標）方式の液滴吐出装置にも適
用できる。たとえば、液滴吐出ヘッド１００をディスペンサとし、生体分子のマイクロア
レイとなる基板に吐出する用途に用いる場合では、ＤＮＡ（Ｄｅｏｘｙｒｉｂｏ  Ｎｕｃ
ｌｅｉｃ  Ａｃｉｄｓ：デオキシリボ核酸）、他の核酸（例えば、Ｒｉｂｏ  Ｎｕｃｌｅ
ｉｃ  Ａｃｉｄ：リボ核酸、Ｐｅｐｔｉｄｅ  Ｎｕｃｌｅｉｃ  Ａｃｉｄｓ：ペプチド核
酸等）タンパク質等のプローブを含む液体を吐出させるようにしてもよい。
【００６７】
なお、本発明の実施の形態に係る静電アクチュエータの駆動方法、液滴吐出ヘッドの駆
動方法及び液滴吐出装置の駆動方法は、上述の実施の形態で説明した内容に限定されるも
のではなく、本発明の思想の範囲内において変更することができる。また、液滴吐出ヘッ
ド１００が電極ガラス基板４、キャビティ基板３及びノズル基板１からなる３層構造を例
に説明したが、これに限定するものではなく、液滴吐出ヘッドが電極ガラス基板、キャビ
ティ基板、リザーバ基板及びノズル基板からなる４層構造であってもよい。
【図面の簡単な説明】
【００６８】
【図１】実施の形態１に係る液滴吐出ヘッドを分解した状態を示す分解斜視図である。
【図２】液滴吐出ヘッドが組み立てられた状態の縦断面図である。
【図３】液滴吐出ヘッドが搭載された液滴吐出装置の制御系を示す概略ブロック図である。
【図４】電力供給手段及びＣＯＭ発生回路の内部構成の一例を示す概略ブロック図である。
【図５】液滴吐出ヘッドに印加する駆動電圧の電圧波形を説明するための説明図である。
【図６】静電容量のばらつきが基準の範囲内である場合における液滴吐出ヘッドに印加する駆動電圧の電圧波形による効果を説明するための説明図である。
【図７】静電容量のばらつきが大きい場合における液滴吐出ヘッドに印加する駆動電圧の電圧波形による効果を説明するための説明図である。
【図８】液滴吐出ヘッドに印加する駆動電圧の電圧波形の別の例を説明するための説明図である。
【図９】液滴吐出ヘッドを搭載した液滴吐出装置の一例を示した斜視図である。
【符号の説明】
【００６９】
１  ノズル基板、３  キャビティ基板、４  電極ガラス基板、５  ノズル孔、７  圧力
室、８  振動板、１２  インク滴、１３  ダイヤフラム、１４  封止材、１５  ドライバ
ＩＣ、１６  共通電極端子、１７  個別電極、１８  ギャップ、１９  絶縁膜、２３  リ
ザーバ、２４  オリフィス、２５  インク供給孔、３２  凹部、３３  リード部、３４  
端子部、４１  駆動制御装置、４２  制御部、４２ａ  ＣＰＵ、４３  外部装置、４４ａ
ＲＯＭ、４４ｂ  ＲＡＭ、４４ｃ  キャラクタジェネレータ、４５  理論ゲートアレイ
、４６  駆動パルス発生回路、４６ａ  ＣＯＭ発生回路、４７  コネクタ、５２  バス、
５３  内部バス、６１  シフトレジスタ、６２  ラッチ回路、６３  反転回路、６４  レ
ベルシフタ、６５  ＳＥＧドライバ、６６  ＣＯＭドライバ、７０  電源回路、１００  
液滴吐出ヘッド、１５０  液滴吐出装置。
【図１】
2009006537.tif 000003
【図２】
2009006537.tif 000004
【図３】
2009006537.tif 000005
【図４】
2009006537.tif 000006
【図５】
2009006537.tif 000007
【図６】
2009006537.tif 000008
【図７】
2009006537.tif 000009
【図８】
2009006537.tif 000010
【図９】
2009006537.tif 000011